(57)【要約】  インターネットサービスは、所定の好適な休日又は好適なイベントを反映するため、電子装置のユーザインタフェースの新たなスキンを提供する。本発明は、電子機器のユーザインタフェースをスキニングするのを可能にする方法であり、当該方法は、ユーザインタフェースの新たなスキンのコードをインストールするのを可能にするため、データネットワークにサービスを提供するステップを含み、新たなスキンは、新たなスキンを作動又は不作動にするためのカレンダーの制御下にある。
2007520817.tif 000002
【特許請求の範囲】
【請求項１】
電子機器のユーザインタフェースをスキニングするのを可能にする方法であって、
当該方法は、前記ユーザインタフェースの新たなスキンのコードをインストールするのを可能にするため、データネットワークにサービスを提供するステップを含む、
ことを特徴とする方法。
【請求項２】
前記サービスに接続するとき、前記スキンの提供を自動化するのを可能にするステップを含む、
請求項１記載の方法。
【請求項３】
前記新たなスキンは、好適なイベントと関連される装飾的な属性を含むためにつくられる、
請求項１記載の方法。
【請求項４】
前記新たなスキンは、前記新たなスキンを作動又は不作動にするためのカレンダーの制御下にある、
請求項３記載の方法。
【請求項５】
前記新たなスキンは、前記機器のユーザのプロファイルに関連される装飾的な属性を含むためにつくられる、
請求項１記載の方法。
【請求項６】
前記新たなスキンは、前記新たなスキンを作動又は不作動にするためのカレンダーの制御下にある、
請求項５記載の方法。
【請求項７】
前記機器は、ディスプレイモニタを含む、
請求項１記載の方法。
【請求項８】
前記機器は、前記ディスプレイモニタを収容するハンドヘルド電子装置を有する、
請求項７記載の方法。
【請求項９】
ユーザインタフェースを有する電子装置、カレンダーの制御下でスキンを作動又は不作動にするためのタイマーを有するスキンを有する電子装置での使用。
【発明の詳細な説明】
【技術分野】
【０００１】
本発明は、たとえばコンシューマエレクトロニクス（ＣＥ）機器、自動車用電子機器、医療又は他の専門的な電子機器といった電子機器のユーザインタフェース（ＵＩ）をスキニングする方法、及びかかる装置のスキンに関する。
【背景技術】
【０００２】
ユーザインタフェース（ＵＩ）、特にグラフィカルユーザインタフェース（ＧＵＩ）の環境では、ユーザインタラクティブなソフトウェアアプリケーションの外観（ルックアンドフィール：look  and  feel）を変えることは、スキニング（skinning）と呼ばれる。この変化は、バックグランドテクスチャ、（たとえばタッチスクリーンを介した）ユーザ入力のボタンのビットマップ、カラー、フォント、サウンド等のような知覚可能なエレメントに関連する。スキンは、これらのエレメントの特定の組み合わせである。スキンは、典型的に、ユーザインタラクティブな機能それ自身に関連しない。
【０００３】
スキニングは、ＵＩをカスタマイズする、すなわち個人向けの仕様にＵＩを変えるのを可能にするために典型的に使用される。公知の例は、Ｗｉｎａｍｐ、ＰＣ指向のＭＰ３ミュージックプレーヤにより表され、そのＵＩは、スキンを適用することでそれ自身を視覚的にカスタマイズされるのを可能にする。このＷｉｎａｍｐの機能は、市場において最もポピュラーなＭＰ３となるのに役立つ。
【０００４】
引用により本明細書に組み込まれる米国特許第６，６８７，７４５号は、ドロプレッツ（droplets）と呼ばれるダイナミックかつシンアプリケーションを開示している。ドロプレッツは、クライアントコンピュータ、これと接続するためのアプリケーションサーバ、及びコネクションがひとたび確立されるとクライアントコンピュータに要求される機能を伝達するために実行されるサーバのアプリケーションの動作環境を識別する情報を一般に含む。ドロプレッツは、アプリケーションサーバへのコネクションを確立するのに必要な情報のみを記憶し、したがって、クライアントコンピュータの最小量の記憶空間を必要とする。大量のドロプレッツは、他の同時に実行しているアプリケーションにとって利用可能なメモリを著しく低減することなしに同時に実行する場合がある。ひとたびドロプレッツのプレゼンテーションクライアントがローカルにインストールされると、クライアントコンピュータは、ドロプレッツイネーブルにされる。ドロプレッツイネーブルにされたアプリケーションは、スキンされる（skinned）場合がある。すなわち、特定のドロプレッツイネーブルにされたアプリケーションのユーザインタフェースのルックアンドフィールは、ネットワークで実行している他のアプリケーションからアプリケーションを区別する傾向にある美的に訴えるか、商業的に目立つ視覚的及び聴覚的な特性を含む。視覚的及び聴覚的な特性は、たとえば個別のカラー、テキストフォント、コントロールレイアウト、グラフィックス又は相対的なサイズ、及び制御の間隔を含む場合がある。スキンは、広告又は販売促進のメッセージ、映画、ビデオゲーム又はランドスケープからのシーンのような関心のある好みのアイテムを反映する場合がある。スキンは、ドロプレッツイネーブルにされたアプリケーションの符号化又はビジネスロジック（すなわち、Ｃ＋＋、Ｊａｖａ(登録商標)、ｖｉｓｕａｌ  ｂａｓｉｃ、又は変更される必要のないアプリケーションを開発するために使用される他の符号化）における変化を変える必要なしにランタイムで選択及び適用される場合がある。したがって、スキンは、所与のドロプレッツイネーブルされたアプリケーションのユーザインタフェースが一方のアプリケーションから別のアプリケーションにカスタマイズされるのを許容する。すなわち、特定のウェブサイトにカスタマイズされるユーザインタフェースは、ドロプレッツイネーブルにされたアプリケーションのそれぞれの瞬間で所望のルックアンドフィールを与える商業的に（目立つ）又は美的に訴えるインタフェースとして機器構成される場合がある。スキンを選択するカスタマイゼーション及び／又は能力は、ドロプレッツアプリケーション開発者、ウェブサイトウェブマスター、又はエンドユーザの指示の元で供給される場合がある。
【０００５】
引用により本明細書に盛り込まれる米国特許公開２００２０１０１４４４号は、スキンの作成を開示している。スキニングモデルは全てのツールを提供し、カスタムユーザインタフェースをつくることを必要とする。たとえばＪｓｃｒｉｐｔといったスクリプトファイルはスキンに含むことができる。スクリプトファイルは、典型的にテキストファイルであり、スキンの背後で精巧な機能をつくるために使用することができる。たとえば、スクリプトファイルの使用を通して、スキンは、ユーザがボタンをクリックしたときに反応することができる。また、スクリプトファイルは、たとえばＷｉｎｄｏｗｓ（登録商標）  Ｍｅｄｉａ  Ｐｌａｙｅｒといったアプリケーションで生じる変化にスキンが応答するのを可能にする。かかる応答は、たとえば再生しているメディアファイルの進展につれて変化する応答である。ユーザがボタンをクリックするか、キーを押すとき、それら入力への応答は、イベントハンドラーで生成することができる。イベントハンドラーは、イベントがトリガされたときは何時でも実行する単なるコードのセクションである。イベントは、たとえば、スキンが関連されるアプリケーションの使用と関連付けされる外部イベントを含む。
【発明の開示】
【課題を解決するための手段】
【０００６】
本発明者は、新たなスキンをエンドユーザ装置に供給するデータネットワークのサービスを提供することを提案する。たとえば、ユーザは、装置のソフトウェアのデータパーティションをアップグレードすることができ、同時に、使用されるスキンを記述するデータファイルを変えることができる。（たとえばハロウィン、クリスマス、マルディグラスといった）特定の行事でのＣＥ機器にとって利用可能な新たなスキンをつくることにより、サービス及び装置に注目が引き出され、唯一の犠牲は、新たなスキンを定義し、ソフトウェアアップグレードのインターネットサービスを介して利用可能にすることである。これは、マーケッティングキャンペインをイネーブルにする非常に費用対効果の高いやり方である。ソフトウェアアップグレードのインターネットサービスは、公知であり、たとえば引用により本明細書に盛り込まれる、以下に説明されるバックグランドアートを参照されたい。サービスへのスキニングを委譲することで、ユーザは、彼／彼女自身で装置をスキニングしなければならないことで悩まされず、これは、幾つかのプログラミングスキルを超えて、スキニングプロセスを実行する時間と努力を典型的に必要とする。
【０００７】
したがって、本発明は、電子機器のＵＩをスキニングするのを可能にする方法に関する。本方法は、たとえばＵＩの新たなスキンのためのコードをインストールするのを可能にするためのインターネットといったデータネットワークにサービスを提供することを含む。コードをインストールすることで、サービス又はネットワークから接続解除した後に、新たなスキンは機器に内在される。本方法は、サービスに接続するとき新たなスキンのインストールを自動化するのを可能にするステップを含む。たとえば、サービスは、動作上の使用において機器の機能のソフトウェアアップグレードを提供し、アップグレードと共に新たなスキンを提供する。別の例として、サービスは、機器にダウンロードするためのコンテンツ情報を提供し、ＵＩは、このコンテンツを表すためにスキニングされる。別の例では、たとえばパブリックホリデー、メジャースポーツイベントのような公的なイベントと関連付けされる装飾的な属性を含むために新たなスキンがつくられる。更に別の例として、たとえば誕生日、結婚式日等といった機器のユーザのプロファイルと関連付けされる装飾的な属性を含むために新たなスキンが作られる。サービスプロバイダは、たとえばサービスによるユーザの記録でプロファイルを取得する。好ましくは、次いで、新たなスキンは、好適なイベント又は個人的なイベントを適切に表すため新たなスキンを作動又は不作動するため、カレンダー又はタイマーの制御下にある。スキニング可能なＵＩをもつ電子機器は、サービスのヘッドエンド（スキンヘッド）に接続し、直接的にインストールされた新たなスキンを取得することができるように、それ自身ネットワークイネーブルにされる場合がある。ホームネットワークのような分散システムでは、それ自身がネットワークイネーブルにされない機器が存在する場合があるが、そのＵＩはスキニング可能である。たとえば、後者の例としてタッチスクリーンリモートコントロールを考える。このケースでは、ユーザは、たとえばシリアルケーブルを介してＰＣからリモートにスキンを転送することでインストールすることができる、新たなスキンをダウンロードするためのネットワークイネーブルＰＣ又はセットトップボックスを介してサービスに接続する。更に別の例は、（ホーム）ネットワークにおけるサーバ装置からクライアント装置にＵＩの一部としてスキンがプッシュされる場合である（たとえば、ＵＰｎＰリモートＵＩ技術）。
【発明を実施するための最良の形態】
【０００８】
本発明は、添付図面を参照して例示を通して更に詳細に説明される。  
図１は、本発明におけるシステム１００のブロック図である。システム１００は、ＣＥ装置１０２を有し、この例ではタッチスクリーン機能をもつディスプレイモニタ１０４を有するプログラマブルリモートコントロール装置である。プログラマブルリモートコントロールは、たとえばＷＯ０３９７７２から公知であり、更なる詳細は以下を参照されたい。装置１０２の実現は、たとえば米国特許第６，２０８，３４１号（代理人ドケットＰＨＡ２３，４７０）、特にその図２に記載されている。更なる詳細は以下を参照されたい。装置１０２は、装置１０２をプログラム又は機器構成するため、データ通信の外部ソースに接続される。外部ソースは、装置がインタフェース１１０を通してインターネット１０８を介して接続することができるサーバ１０６を有する。インタフェース１１０は、サーバ１０６にリモート１０２を機能的に結合する直接的なインタフェースであるか、たとえばブラウザをもつＰＣを介して間接的なインタフェースである場合があり、ＰＣはリモート１０２に転送される前にサーバ１０６から得られたコンフィギュレーションデータを一次的に記憶するためのリポジトリとして機能する。
【０００９】
考慮されるシナリオでは、ユーザは、装置１０２の機能をアップグレードするために新たなソフトウェアを取得するためにサーバ１０６にアクセスする。ユーザは、たとえば電子メールを通して新たなソフトウェアの可用性が通知される。ユーザは、サービスによる初期の記録に応じて、彼／彼女の電子メールアドレスを提供する。通知に応じて、ユーザはダウンロードを明示的にトリガする。代替的に、ユーザは、新たなソフトウェアの存在に関して学習し、サービスのウェブサイト、又はユーザのＣＥ機器若しくはＰＣは、ブート時間で新たなソフトウェアについて自動的にサービスをチェックする。アップグレードを取得するのと同時に、リモート１０２のＵＩの新たなスキンは、サーバ１０６から検索される。スキンは、リモート１０２の動作上の使用のためにメモリ１１２でインストールされる。たとえば、メモリ１１２でインストールされるスキンは、カレンダー、すなわち特定のイベントによる日、週及び月のテーブル又はスケジュールを含む。それぞれのイベントは、所定のスキンに対応する。たとえば、所定の時間期間は、国際サッカートーナメントに関連し、ＵＩのバックグランドのカラーは所定の日をアクチベートするか、又はその部分は、その日の再生される試合に含まれるチームを表す。カレンダーは、それ自身のタイマーをスクリプトの一部として含むか、リモート１０２にあるタイマー１１４を介して制御される。ユーザは、サーバ１０６により供給されるサービスに加入するか、国、住居の地域又は市、家族の誕生日、結婚式の日、到来する卒業式の日等のような、サービスによる記録で個人のバックグランド情報を提供する場合がある。スキンにダウンロードされたスクリプトは、次いで、その適切な領域の適切な日で関連するスキンをリモート１０２のＵＩに提供するように、サービスにより個人向けにされる。
【００１０】
リモートコントロール装置を参照して先に例示された内容は、たとえば適切なディスプレイ機能をもつＰＤＡ又はモバイルフォンに適用される。機器がネットワークイネーブルにされる場合、サーバ１０６により提供されたサービスは、サーバ１０６のアクセスを始動するユーザによりトリガされる代わりに、カレンダーの制御下でのスキニングを自動化する場合がある。
【００１１】
サーバ１０６は、互いにバックエンドを構成する様々なサイトで複数のマシンにより実現される場合がある。すなわち、一方のマシンは記録サービスを実行し、別のマシンは、スキンの供給を実行する等である。
【００１２】
以下の文献は、引用により本明細書に盛り込まれる。  
１９９９年３月１７日に提出された米国シリアル番号０９／２７１，２００号（代理人ドケットＰＨＡ２３，６０７）。ＷＯ００３９７７２号として公開されたＪａｎ  ｖａｎ  Ｅｅによる“ＦＵＬＬＹ  ＦＵＮＣＴＩＯＮＡＬ  ＲＥＭＯＲＥ  ＣＯＮＴＲＯＬ  ＥＤＩＴＯＲ  ＡＮＤ  ＥＭＵＬＡＴＯＲ”。この特許文献は、エンドユーザが装置の制御機能を編集又はプログラミングすることで装置をカスタマイズするのを可能にするプログラマビリティ機能を有するユニバーサルプログラマブルリモートコントロール装置に関する。プログラミングは、ＰＣを介して達成することができる。ＰＣのエディタを介して作成される制御のコンフィギュレーションは、装置にダウンロードされる。エミュレータソフトウェア及びリモートコントロールソフトウェアは、リモートハードウェアから抽出するソフトウェアレイヤの結果として同一とされる。エンドユーザのエミュレータは、製造業者でのソフトウェア開発段階の大部分が無料の副産物として得られる。
【００１３】
米国特許第６，２０８，３４１（代理人ドケットＰＨＡ２３，４７０）Ｊａｎ  ｖａｎ  Ｅｅによる“ＧＵＩ  ＯＦ  ＲＥＭＯＴＥ  ＣＯＮＴＲＯＬ  ＦＡＣＩＬＩＴＡＴＥＳ  ＵＳＥＲ−ＦＲＩＥＮＤＬＹ  ＥＤＩＴＩＮＧ  ＯＦ  ＭＡＣＲＯＳ”。この特許文献は、リモートのＧＵＩでの認証ツールをもつマクロ作成／編集モードを有するホームシアターのリモート制御装置に関する。編集ツールの１つは、ＧＵＩでのステップのリストを視覚的に上下する選択されたマクロステップをユーザに移動させる。
【００１４】
１９９９年５月１３日に提出された米国シリアル番号０９／３１１，２８（代理人ドケットＰＨＡ２３，５０１）。ＷＯ００１７７３８号として公開されたＪｏｏｓｔ  Ｋｅｍｉｎｋによる“ＩＮＴＥＲＮＥＴ−ＢＡＳＥＤ  ＳＥＲＶＩＣＥ  ＦＯＲ  ＵＰＤＡＴＩＮＧ  Ａ  ＰＲＯＧＲＡＭＭＡＢＬＥ  ＣＯＮＴＲＯＬ  ＤＥＶＩＣＥ”。この特許文献は、プログラマブル制御装置を更新するために提供されるインターネットに基づいたサービスに関する。インターネットサイトは、グラフィックユーザインタフェース（ＧＵＩ）としてプログラマブルコントロールにダウンロードすることができる、機器に依存した制御及び特徴オプション情報へのリンクを含む。ユーザインタフェースは、ターゲット機器を容易に特定するためにユーザのサイトで提供され、その後、ターゲット機器にとって利用可能なインタフェース及び制御情報を選択的にダウンロードする。インターネットサイトは、ユーザの制御可能な機器のインベントリに基づいてインタフェースを提供するシステムインテグレータ、有効であることが分かっているコンフィギュレーション及びマクロを共有する愛好家のような、コンフィギュレーション及びマクロの他のプロバイダへのリンクを含む。
【００１５】
１９９８年９月２５日に提出された米国シリアル番号０９／１６０，９４０（代理人ドケットＰＨＡ２３，５００）。ＷＯ００１７７８９号として公開されたＡｄｒｉａｎ  Ｔｕｒｎｅｒ等による“ＣＯＳＴＯＭＩＺＥＤ  ＵＰＧＲＡＴＩＮＧ  ＯＦ  ＩＮＴＥＲＮＥＴ−ＥＮＡＢＬＥＤ  ＤＥＶＩＣＥＳ  ＢＡＳＥＤ  ＯＮ  ＵＳＥＲ−ＰＲＯＦＩＬＥ”。この特許文献は、コンシューマエレクトロニクスのネットワークイネーブルされた機器の特定のエンドユーザのユーザプロファイル、このタイプの機器の新たな技術的な特徴のデータベースを保持するサーバシステムに関する。ユーザプロファイルと新たな技術的な特徴の間に整合があり、ユーザがアップデート又はセールスオファーに関する情報を受けることを指示する場合、ユーザは、ネットワークを介して特徴を取得するためのオプションが通知される。
【００１６】
１９９９年７月８日に提出された米国シリアル番号０９／３４９，６７６（代理人ドケットＰＨＡ２３，６８１）。ＷＯ０１０４８０６号として公開されたＫｒｉｓｔｉｎ  Ｏｎｄｅｃｋによる“ＡＦＴＥＲ−ＳＡＬＥＳ  ＣＵＳＴＯＭＩＺＡＴＩＯＮ  ＳＰＥＣＩＦＩＥＤ  ＢＹ  ＲＥＴＡＩＬＥＲ  ＡＣＴＳ  ＡＳ  ＩＮＣＥＮＴＩＶＥ”。この特許文献は、商業活動を刺激するのを可能にするビジネスを行うマシンにより実現された方法に関する。カスタマーは、製造業者又は専用のサービスプロバイダに特定の小売業者からの商品の購入を通知する。通知に応じて、製造業者又はサービスプロバイダは、小売業者と関連される広告のバナーを一時的に追加することでカスタマーのポータル又はホームページをカスタマイズする。
【００１７】
２０００年４月６日に提出された米国シリアル番号０９／５４４，６６６号（代理人ドケットＵＳ００００８９）。ＷＯ０１２３９９４号として公開されたＲｉｋ  Ｓａｇａｒによる“ＨＡＮＤＨＥＬＤ  ＲＥＴＲＩＥＶＥＳ  ＵＩ  ＦＲＯＭ  ＳＥＲＶＥＲ  ＣＯＮＴＲＯＬ  ＯＦ  ＡＰＰＡＲＡＴＵＳ  ＶＩＡ  ＳＥＲＶＥＲ”。この特許文献は、インターネットのサーバに識別子を送出するためのワイヤレスモデムをもつハンドヘルドリモートに関する。サーバは、識別子をＵＲＬと関連付けするためのルックアップテーブルを有する。ＵＲＬは、インターネットの別のマシンのＣＧＩプログラムを規定する。マシンは、ＣＧＩプログラムの実行を通して機器を制御する。
【００１８】
２０００年１０月１０日に提出された米国シリアル番号０９／６８６，５７２号（代理人ドケットＵＳ０００１８３）。ＷＯ０２３１９７８として公開されたＴｏｍ  Ｄｕｂｉｌ等による“ＣＯＮＴＲＯＬ  ＣＯＤＥＳ  ＦＯＲ  ＰＲＯＧＲＡＭＭＡＢＬＥ  ＲＥＭＯＴＥ  ＳＵＰＰＬＩＥＤ  ＩＮ  ＸＭＬ  ＦＯＲＭＡＴ”。この特許文献は、プログラマブルユニバーサルリモートでの使用のための利用可能な制御コードをつくるインターネットサービスに関する。リモートは、ＣＥ機器をＩＲ又はＲＦコマンドを通して制御する。サーバは、リモートで適切にインストールされるため、受信機のセットトップボックス又はＰＣ、若しくはリモート自身で処理されるＸＭＬデータとして制御コードを供給する。
【００１９】
２０００年３月６日に提出された米国シリアル番号０９／５１９，５４６号（代理人ドケットＵＳ００００１４）。ＷＯ０１５４４０６号として公開されたＥｒｉｋ  Ｅｋｋｅｌ等による“ＰＥＲＳＯＮＡＬＩＺＩＮＧ  ＣＥ  ＥＱＵＩＰＭＥＮＴ  ＣＯＮＦＩＧＵＲＡＴＩＯＮ  ＡＴ  ＳＥＲＶＥＲ  ＶＩＡ  ＷＥＢ−ＥＮＡＢＬＥＤ  ＤＥＶＩＣＥ”。この特許文献は、インターネットのアプリケーションサーバに機器構成を委譲することで、消費者によるコンシューマエレクトロニクス（ＣＥ）機器の機器構成を容易にすることに関する。消費者は、ＰＣ又はセットトップボックス又はデジタルセルフォンのようなインターネットイネーブル装置の適切なユーザインタフェースを通して、彼／彼女の好みを特定の対話的なウェブページに入力する。アプリケーションサーバは、入力された好みに基づいて制御データを発生し、ＣＥ機器自身又はインターネットイネーブル装置に制御データをダウンロードする。
【００２０】
２０００年９月１日に提出された米国シリアル番号０９／６５３，７８４号（代理人ドケットＵＳ０００２２０）。ＷＯ０１５４２９２号として公開されたＥｒｉｋ  Ｅｋｋｅｌ等による“ＳＴＢ  ＣＯＮＮＥＣＴＳ  ＲＥＭＯＴＥ  ＴＯ  ＷＥＢ  ＳＩＴＥ  ＦＯＲ  ＣＵＳＴＯＭＩＺＥＤ  ＣＯＤＥ  ＤＯＷＮＬＯＡＤＳ”。この特許文献は、プログラマブルリモートと共に市販されるセットトップボックス（ＳＴＢ）に関する。リモートは、インターネットの特定のサーバにＳＴＢを接続するための専用のボタンを有する。消費者は、彼／彼女がＳＴＢに付属するリモートと同じリモートを通して制御可能となるのを望む、彼／彼女の他のコンシューマ機器をサーバに通知することができる。サーバは、関連する制御コードを表すＳＴＢデータにダウンロードする。ＳＴＢは、これらのコードをもつリモートをプログラムするための手段が提供される。その代わり、サーバはこのコンシューマ機器に関する詳細かつ正確な情報を得る。信頼できる消費者のベースがヘルプデスク動作をストリーミングするために構築される。
【図面の簡単な説明】
【００２１】
【図１】本発明におけるシステムのブロック図である。
【図１】
2007520817.tif 000003
【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
電子機器のユーザインタフェースをスキニングするのを可能にする方法であって、
当該方法は、前記ユーザインタフェースの新たなスキンのコードをインストールするのを可能にするため、データネットワークにサービスを提供するステップを含み、
前記新たなスキンは、前記新たなスキンを作動又は不作動にするためのカレンダーの制御下にある、
ことを特徴とする方法。
【請求項２】
前記サービスに接続するとき、前記スキンの提供を自動化するのを可能にするステップを含む、
請求項１記載の方法。
【請求項３】
前記新たなスキンは、好適なイベントと関連される装飾的な属性を含むためにつくられる、
請求項１記載の方法。
【請求項４】
前記新たなスキンは、前記機器のユーザのプロファイルに関連される装飾的な属性を含むためにつくられる、
請求項１記載の方法。
【請求項５】
前記機器は、ディスプレイモニタを含む、
請求項１記載の方法。
【請求項６】
前記機器は、前記ディスプレイモニタを収容するハンドヘルド電子装置を有する、
請求項５記載の方法。
【請求項７】
ユーザインタフェースを有する電子装置、カレンダーの制御下でスキンを作動又は不作動にするためのタイマーを有するスキンを有する電子装置での使用。
【国際調査報告】
2007520817.tif 000004
2007520817.tif 000005
2007520817.tif 000006
2007520817.tif 000007